(57)【要約】【課題】電源プラグを電源コンセントへ接続しなくても、簡単な構成で食器カゴを昇降できる移動式の食器洗浄乾燥機を得る。【解決手段】食器洗浄乾燥機本体１をシステムキッチン２から引き出し、移動した場合には電源コンセントから離脱し、内蔵バッテリー１３によりモータ１２に電源が供給される。そして、食卓近傍へ移動後に、ＵＰスイッチ１４ａを押すと、内蔵バッテリー１３の電力がモータ１２に供給され、モータ１２は回転して吊りベルト１０を巻きつけられ、食器カゴ５は洗浄槽４の下部より上部に移動する。食器６を食器カゴ５にセットを完了した後、ＤＯＷＮスイッチ１４ｂを押すと、内蔵バッテリー１３の電力が先ほどとは逆の向きにモータ１２に供給され、モータ１２は巻きつけていた吊りベルト１０を巻きほどき、、ベルト１０に支持されている食器カゴ５は洗浄槽４の上部より下部に移動する。【選択図】図３
2006055480.tif 000002
【特許請求の範囲】
【請求項１】
システムキッチンに収納される機器本体と、この機器本体を移動させる移動手段と、前記機器本体に設けられた洗浄槽と、この洗浄槽に昇降自在に配置される食器カゴと、この食器カゴを昇降させる昇降手段と、この昇降手段に電力を供給するバッテリーと、を備えたことを特徴とする移動式の食器洗浄乾燥機。
【請求項２】
前記昇降手段は、前記洗浄槽を保持する吊りベルトと、前記バッテリーから電力が供給され、前記吊りベルトを巻き取るモータと、このモータの巻き取り方向を可逆させる昇降スイッチと、を備えたことを特徴とする請求項１記載の移動式の食器洗浄乾燥機。
【請求項３】
システムキッチンに収納される機器本体と、この機器本体に設けられた洗浄槽と、この洗浄槽に昇降自在に配置される食器カゴと、この食器カゴを昇降させる昇降手段と、前記機器本体の上面に設置され、前記昇降手段により前記食器カゴの昇降させる昇降スイッチと、を備え、前記機器本体をシステムキッチン内に収納した時に前記昇降スイッチがキッチン内に隠れることを特徴とする食器洗浄乾燥機。
【請求項４】
システムキッチンに収納される機器本体と、この機器本体の正面パネルに設けられたハンドルと、このハンドルに設けられた操作スイッチと、を備え、前記機器本体の正面パネルの意匠をシステムキッチンの意匠に合わせたことを特徴とする食器洗浄乾燥機。
【発明の詳細な説明】
【技術分野】
【０００１】
この発明は、食器洗浄乾燥機に関する。
【背景技術】
【０００２】
従来の食器洗浄乾燥機においては、食器カゴの底部にＸの字形状の昇降リングを設け、この昇降リングを電動駆動させ、食器カゴを昇降させる構成や、圧縮バネにより食器カゴを昇降させる構成にしている（例えば、特許文献１、２参照）。
【０００３】
【特許文献１】特開平２００２−６５５４８号公報（第３−５頁、図１）
【特許文献２】特開平２０００−５１１３７号公報（第３−５頁、図１）
【発明の開示】
【発明が解決しようとする課題】
【０００４】
従来の食器カゴの昇降機構を備えた食器洗浄乾燥機は、食器カゴを昇降させる際に駆動電源が必要のため、電源プラグを電源コンセントへ接続し、電源コードによる電源供給を行わなければならず、この食器カゴ昇降機構を移動式の食器洗浄乾燥機に採用した場合には、移動式の食器洗浄乾燥機の移動中には電源コードが邪魔になるため電源が供給できず、移動式の食器洗浄乾燥機には食器カゴ昇降機構を採用できないという問題点があった。
また、圧縮バネによる食器カゴ昇降機構を有する食器洗浄乾燥機は、駆動電源が不要であるが、不用意に昇降スイッチを押してしまい、食器カゴ昇降中に食器が他の部位に引っ掛かるなどの不具合が発生した場合であっても、昇降を途中で停止することができず、食器を破損してしまうという問題点があった。
さらに、従来の食器洗浄乾燥機は、食器洗浄乾燥機のデザインと食器洗浄乾燥機が設置されるシステムキッチンのデザインが不一致である場合が多く、すなわち、家具としてデザインされるシステムキッチンに対して、家電機器としてデザインされる食器洗浄乾燥機が意匠的にマッチングしないため、デザインを重視するユーザーからはシステムキッチンに食器洗浄乾燥機を設置することが嫌われているという問題点があった。
【０００５】
この発明は、上記のような課題を解決するためになされたもので、電源プラグを電源コンセントへ接続しなくても、簡単な構成で食器カゴを昇降できる移動式の食器洗浄乾燥機を得るものである。
また、第２の目的は、昇降スイッチを不用意に押してしまうことを防ぎ、食器の破損を防止できる食器洗浄乾燥機を得るものである。
さらに、第３の目的は、システムキッチンとデザインを統一できる食器洗浄乾燥機を得るものである。
【課題を解決するための手段】
【０００６】
この発明に係る食器洗浄乾燥機は、システムキッチンに収納される機器本体と、この機器本体を移動させる移動手段と、前記機器本体に設けられた洗浄槽と、
この洗浄槽に昇降自在に配置される食器カゴと、この食器カゴを昇降させる昇降手段と、この昇降手段に電力を供給するバッテリーと、を備えたものである。
【発明の効果】
【０００７】
この発明は、機器本体の移動時にはバッテリーから昇降手段に電力を供給し、食器カゴを昇降させるので、電源プラグを電源コンセントへ接続しなくても食器カゴを昇降させることができる。
【発明を実施するための最良の形態】
【０００８】
実施の形態１．
図１は、この発明の実施の形態１を示す移動式の食器洗浄乾燥機の外観斜視図であり、食器洗浄乾燥機がシステムキッチン（建築躯体）に収納される状態を示す。図２は、この食器洗浄乾燥機の３角法製図図面表記による正面図・上面図・Ａ−Ａ断面図・Ｂ−Ｂ断面図、図３は、この食器洗浄乾燥機の断面図であり、Ｂ−Ｂ断面図をもとにしており（ａ）は食器カゴ下降時、（ｂ）は食器カゴ上昇時を示す。図４は、この食器洗浄乾燥機の操作部の拡大図である。
【０００９】
図１〜３において、システムキッチン２に収納される食器洗浄乾燥機本体１は、外郭筐体３、外郭筐体３に保持される洗浄槽４、洗浄槽４内部に昇降自在に配置保持される食器カゴ５、食器カゴ５にセットされるお椀、お皿など洗浄物である食器６、食器カゴ５の下部より食器６に向けて水を噴射する孔を持つ洗浄ノズル７、洗浄ノズル７へ洗浄水を導く配管８、洗浄ノズル７の孔から食器６へ向けて水を高圧力の水を噴射するためポンプ９、食器カゴ５を昇降自在に保持する吊りベルト１０ａ・１０ｂ・１０ｃ・１０ｄ、吊りベルト１０の向きを変えるプーリー１１ａ・１１ｂ、吊りベルト１０を巻き取る減速機構付きモータ１２、モータ１２を駆動するための電力を供給する内蔵バッテリー１３が配設されている。
【００１０】
また、図４において、昇降スイッチ１４は洗浄槽４の正面パネル側の上面部に設けられ、ＵＰスイッチ１４ａおよびＤＯＷＮスイッチ１４ｂから成り、スイッチ１４ａおよびスイッチ１４ｂを操作することにより、モータ１２の回転方向が選択される。
さらに、食器洗浄乾燥機本体１の正面パネルはシステムキッチン２と同じ意匠パネル１７が配設され、意匠パネル１７の上部には食器洗浄乾燥機を移動する際に持ち手とするハンドル１５が設けられ、ハンドル１５の前面部分には電源スイッチ、標準・節約・スピード等の各洗浄乾燥コースの選択スイッチ等の操作スイッチ１６が配設される。
また、食器洗浄乾燥機本体１の底部には、食器洗浄乾燥機本体１を移動するための車輪１８を備える。
【００１１】
次に、動作について説明する。
まず、食器洗浄乾燥機の基本的な動作を簡単に説明する。
食器を洗浄し乾燥させるには、食器の汚れを分解して落とすための食器洗い用洗剤を入れた洗い工程と、食器に付着した洗剤や汚水をすすぎ落とすためのすすぎ工程、食器を乾燥させる乾燥工程の３つの工程からなる。
洗い工程では、洗浄槽４内に洗剤を入れ、給水弁（図示せず）を開けて水道水を洗浄槽４内に一定量を給水し、ポンプ９を稼働させることにより洗浄槽４内の水を吸い込んで、洗浄ノズル７へ送水し洗浄ノズル７の孔より食器６めがけて噴射する。噴射した水は洗浄槽４の中に落下して戻り、再びポンプ９に吸い込まれる。上記動作を繰り返し、水は循環しながら噴射を繰り返す。そして、ポンプ９を一定時間稼働させた後、洗浄槽４の内部の水は、排水口（図示せず）より外部の下水等へ排水される。
【００１２】
すすぎ工程では、水道水を洗浄槽４内に一定量を給水し、ポンプ９を稼働させることにより洗浄槽４内の水を吸い込んで、洗浄ノズル７へ送水し洗浄ノズル７の孔より食器６めがけて噴射する。噴射した水は洗浄槽４の中に落下して戻り、再びポンプ９に吸い込まれて、上記動作を繰り返し、水は循環しながら噴射を繰り返す。そして、ポンプ９を一定時間稼働させた後、洗浄槽４の内部の水は、排水口（図示せず）より外部の下水等へ排水される。
なお、洗い工程とすすぎ工程の大きな違いは、洗い工程では洗浄槽内に洗剤を入れて、洗剤の溶けた水を噴射するが、すすぎ工程では洗剤を使用せず、水を噴射するものであり、それ以外については動作上の大きな違いは無い。
この給水、一定時間の循環噴射、排水を、通常４回程度行うことにより、食器を洗い、すすぐ。
乾燥工程では、送風装置（図示せず）により食器に温風または室温の風を当てて、食器を乾燥させる。
【００１３】
次に、食器６を食器カゴ５にセット・リセットする動作について説明する。
まず、ハンドル１５を引き、システムキッチン２から食器洗浄乾燥機本体１を引き出して、食器６のある食卓近傍に移動する。ここで、食器洗浄乾燥機本体１がシステムキッチン２に収納されている場合は、電源コンセントから電源供給が行われているが、食器洗浄乾燥機本体１をシステムキッチン２から引き出し、移動した場合には電源コンセントから離脱し、外部からの食器洗浄乾燥機本体１への給電は絶たれるため、内蔵バッテリー１３によりモータ１２に電源が供給される。
そして、食卓近傍へ移動後に、ＵＰスイッチ１４ａを押すと、内蔵バッテリー１３の電力がモータ１２に供給され、モータ１２は図３（ｂ）の矢印の方向に回転して吊りベルト１０を巻きつける。吊りベルト１０がモータ１２に巻きつけられると、ベルト１０に支持されている食器カゴ５は図３ｂに示すように洗浄槽４の下部より上部に移動する。食器カゴ５が洗浄槽４の上部に位置することにより、食器カゴ５の高さと食卓の高さと近くなるので、食卓上の食器を食器カゴ５へ移す場合の移動距離が短く済み、食器６を食器カゴ５へ楽にセットすることができる。
【００１４】
食器６を食器カゴ５にセットを完了した後、ＤＯＷＮスイッチ１４ｂを押すと、内蔵バッテリー１３の電力が先ほどとは逆の向きにモータ１２に供給され、モータ１２は巻きつけていた吊りベルト１０を巻きほどく。吊りベルト１０が巻きほどかれると、ベルト１０に支持されている食器カゴ５は図３ａに示すように洗浄槽４の上部より下部に移動する。
【００１５】
ここで、昇降スイッチ１４は、操作者がＵＰスイッチ１４ａまたはＤＯＷＮスイッチ１４ｂを押している間のみＯＮになり、離すと瞬時にＯＦＦするタクトスイッチを採用しており、操作者が食器カゴ５の上げ下げの状態を直接監視しながら操作できるので、食器カゴ５の移動中の食器破損を防ぐことができる。すなわち、押すことによりＯＮ状態を継続するラッチスイッチなどを採用した場合には、一度ＯＮすると無監視状態でも食器カゴ５が移動してしまうので、食器が上下移動中に何かに接触しても移動を継続してしまい、気づかずに食器を破損してしまうことがあるが、タクトスイッチを採用した場合には、昇降スイッチ１４を押し続けていない限り食器カゴ５を移動できないため、無監視状態を限りなく少なくすることができる。
また、昇降スイッチ１４がＯＦＦ状態によるモータ１２停止中においては、食器６および食器カゴ５の荷重に対して、モータ１２の内部の減速装置の摩擦抵抗が十分に大きいため食器６および食器カゴ５が落下することなく、その位置状態が保持される。
【００１６】
食器カゴ５を洗浄槽４下部に移動した後、食器洗浄乾燥機本体１を移動して、システムキッチン２に収納し、電源コンセントからの外部給電を可能とし、操作スイッチ１６を操作し、上述の洗い・すすぎ・乾燥の各工程を行い、食器６を洗浄・乾燥する。また、内臓バッテリー１３は電源コンセントからの外部給電により充電される。
【００１７】
食器６の洗浄・乾燥が完了した後、ハンドル１５を引き、システムキッチン２から食器洗浄乾燥機本体１を引き出して、食器棚近傍に移動する。その後、ＵＰスイッチ１４ａを押すと、上述と同様に食器カゴ５は図３ｂに示すように洗浄槽４の下部より上部に移動する。食器カゴ５が洗浄槽４の上部に位置することにより、食器カゴ５の高さと食器棚の高さが近くなるので、食器カゴ５の食器６を食器棚へ移す場合の移動距離が短く済み、食器６を食器棚へ楽に収納することができる。
食器６を食器棚に収納した後は、食器洗浄乾燥機本体１を移動して、システムキッチン２に収納し、電源コンセントからの外部給電により内臓バッテリー１３は再び充電される。
【００１８】
ここで、昇降スイッチ１４は、洗浄槽４の上面部に配置されているので、食器洗浄乾燥機本体１をシステムキッチン２内に収納すると、昇降スイッチ１４は隠れてしまい押すことができなくなる。これにより、昇降スイッチ１４を不用意に押すことにより、食器カゴ５が移動し、食器６を破損させてしまうことを防ぐことができる。
【００１９】
また、操作スイッチ１６はハンドル１５に取り付けられ、意匠パネル１７には操作スイッチ１６を設ける必要がないため、システムキッチン２の意匠パネルと全く同じものを食器洗浄乾燥機本体１の正面パネルに使用できるので、家具としてのデザイン性を求めるシステムシステムキッチンなどにおいて、食器洗浄乾燥機が設置されていても統一したデザインとすることができる。
したがって、従来デザインが崩れる事を嫌って食器洗浄乾燥機を取り付けないユーザーにおいても、システムキッチンとの統一したデザインを崩すことが無く、食器洗浄乾燥機を設置することが可能になる。
【００２０】
なお、上記実施の形態では、内蔵バッテリー１３の使用用途として、食器カゴ５の昇降を行うものについて主に説明したが、洗浄槽４の内部に小型の照明器具を設け、食器洗浄乾燥機本体１の移動時に、内蔵バッテリー１３により照明を点灯させるようにしてもよく、洗浄槽４内部を照らすことにより食器６を食器カゴ５にセット・リセットしやすくなる。また、操作スイッチ１６からの入力を記憶するメモリを食器洗浄乾燥機本体１に設置し、食器洗浄乾燥機本体１の移動時に、内蔵バッテリーにより操作スイッチ１６およびメモリを稼動させ、例えば操作スイッチ１６から入力された洗浄乾燥コースをメモリに記憶させておき、食器洗浄乾燥機本体１をシステムキッチン２に収納すると、メモリに記憶されたコースで洗浄乾燥を行うようにしてもよい。これにより、食器洗浄乾燥機本体１をシステムキッチン２に収納することを待つことなく、移動時においても食器洗浄乾燥機本体１を操作することができ、使い勝手が向上する。
【００２１】
実施の形態２．
上記実施の形態１では、移動式の食器洗浄乾燥機に操作スイッチ１６を設けたものを説明したが、引き出し式の食器洗浄乾燥機に内蔵バッテリーおよび移動を不要とした同一構成で、食器カゴの昇降、食器破損防止、システムキッチンとの統一したデザインを実現してもよい。
図５は、この発明の実施の形態２を示す引き出し式の食器洗浄乾燥機の外観斜視図であり、上記実施の形態１と同一または相当部分には同一符号を付ける。引き出し式の食器洗浄乾燥機本体２０はシステムキッチン２へ組込まれ、スライドレール１９を備え、引き出し可能な構成である。
【００２２】
洗浄・乾燥の各工程や食器カゴの昇降は上記実施の形態１と同様であるため、説明を省略し、昇降スイッチ１４、および操作スイッチ１６によるシステムキッチンとの統一デザインについて説明する。
昇降スイッチ１４は、洗浄槽４の正面パネル側の上面部に配置されているので、食器洗浄乾燥機本体１をシステムキッチン２内に収納すると、昇降スイッチ１４は隠れてしまい押すことができなくなる。これによって、昇降スイッチ１４を不用意に押すことにより、食器カゴが移動し、食器を破損させてしまうことを防ぐことができる。
【００２３】
また、操作スイッチ１６はハンドル１５に取り付けられ、意匠パネル１７には操作スイッチ１６を設ける必要がないため、システムキッチン２の意匠パネルと全く同じものを食器洗浄乾燥機本体１の正面パネルに使用できるので、家具としてのデザイン性を求めるシステムキッチンなどにおいて、食器洗浄乾燥機が設置されていても統一したデザインとすることができる。
したがって、従来デザインが崩れる事を嫌って食器洗浄乾燥機を取り付けないユーザーにおいても、システムキッチンとの統一したデザインを崩すことが無く、食器洗浄乾燥機を設置することが可能になる。
【図面の簡単な説明】
【００２４】
【図１】この発明の実施の形態１を示す食器洗浄乾燥機の外観斜視図である。
【図２】この発明の実施の形態１を示す食器洗浄乾燥機の正面図・上面図・断面図である。
【図３】この発明の実施の形態１を示す食器洗浄乾燥機の断面図である。
【図４】この発明の実施の形態１を示す食器洗浄乾燥機の操作部の拡大図である。
【図５】この発明の実施の形態２を示す食器洗浄乾燥機の斜視外観図である。
【符号の説明】
【００２５】
１  食器洗浄乾燥機本体、  ２  システムキッチン、  ３  外郭筐体、  ４  洗浄槽、  ５  食器カゴ、  ６  食器、  ７  洗浄ノズル、  ８  配管  ９  ポンプ、  １０  吊りベルト、  １１  プーリー、  １２  モータ、  １３  バッテリー、  １４  昇降スイッチ、  １５  ハンドル、  １６  操作スイッチ、  １７  意匠パネル、  １８  車輪、  １９  スライドレール、  ２０  食器洗浄乾燥機本体。
【図１】
2006055480.tif 000003
【図２】
2006055480.tif 000004
【図３】
2006055480.tif 000005
【図４】
2006055480.tif 000006
【図５】
2006055480.tif 000007